(57)【要約】【課題】  ＮＦＣ方式の移動通信端末機をＮＦＣタグとの通信によって前記タグに記憶された前記移動通信端末機に備えられた装置構成の制御命令語を送信及び実行することで前記移動通信端末機の装置構成を強制に制御することができるＮＦＣ通信方式の移動通信端末機及び制御方法を提供する。【解決手段】  本発明は、ＮＦＣ通信方式の移動通信端末機及び制御方法に係り、詳しくはＮＦＣ方式の移動通信端末機がＮＦＣタグの位置する特定地域に移動した場合、前記タグとの通信によってベル音、録音、スキャン、着信転換のような通信端末機の機能を強制的に制御するＮＦＣ通信方式の移動通信端末機及び制御方法に関するものである。【選択図】図１
2014519786.tif 000002
【特許請求の範囲】
【請求項１】
リーダーモードとカードモードのいずれか一方に転換可能なＮＦＣ方式の能動型タグとＮＦＣ通信を行って、前記能動型タグに記憶されたデータを受信するＮＦＣ通信方式の移動通信端末機において、
前記能動型タグから送信されるＮＦＣ方式のデータ信号を受信するＮＦＣアンテナ；
前記能動型タグとセッションを形成するように制御して、前記能動型タグから送信されるデータ信号を前記ＮＦＣアンテナを介して受信するＮＦＣコントローラー；
前記能動型タグから送信されるデータ信号を前記ＮＦＣコントローラーから受けて前記データ信号を分析する機能制御部；及び
前記移動通信端末機の選択された一つ以上の機能を実行させる端末制御部を含み、
前記能動型タグのデータ信号は前記移動通信端末機の選択された一つ以上の機能をロックまたはアンロックする命令語が含まれる機能制御信号であり、
前記機能制御部は前記機能制御信号に含まれた命令語を抽出して前記端末制御部に印加することにより前記機能制御信号に含まれた一つ以上の命令語を実行し、前記移動通信端末機の選択された一つ以上の機能を強制制御する、ＮＦＣ通信方式の移動通信端末機。
【請求項２】
前記ＮＦＣコントローラーは、カードモードで駆動されるうちに前記能動型タグから受信される識別子情報要請信号に応じて、互いに一致すれば、リーダーモードに転換して前記能動型タグとセッションを形成し、前記能動型タグからデータを受信して前記機能制御部に印加する、請求項１に記載のＮＦＣ通信方式の移動通信端末機。
【請求項３】
前記能動型タグは、識別子情報を記憶する識別情報部；
前記移動通信端末機の機能を制御する一つ以上の命令語を記憶するメモリ；
前記移動通信端末機とＮＦＣ方式でデータを送受信するタグアンテナ；及び
リーダーモードで駆動され、前記移動通信端末機に識別子情報を要請し、受信された識別子情報を確認して互いに一致すれば、カードモードに転換して前記移動通信端末機とセッションを形成するように制御し、前記能動型タグアンテナを介して前記メモリに記憶された一つ以上の命令語を含む機能制御信号を送信するように制御するタグコントローラーを含む、請求項１に記載のＮＦＣ通信方式の移動通信端末機。
【請求項４】
前記メモリは、前記移動通信端末機の多数の機能のそれぞれをロック及びアンロックする多数の命令語を含んでなり、
前記機能制御部は、前記多数の命令語の中で選択された一つ以上の命令語によって一つ以上の機能を個別的に同時にロックまたはアンロックする、請求項３に記載のＮＦＣ通信方式の移動通信端末機。
【請求項５】
前記メモリは、前記移動通信端末機で一つ以上の機能をロックした後、設定時間が経てばアンロックする命令語をさらに含む、請求項４に記載のＮＦＣ通信方式の移動通信端末機。
【請求項６】
識別子情報と移動通信端末機の機能を制御する命令語が記憶される能動型タグとＮＦＣ方式で通信して前記命令語を受信して、選択された機能を制御するＮＦＣ通信方式の移動通信端末機の制御方法において、
カードモードで駆動され、前記能動型タグから識別子情報要請信号を受信する識別子情報要請受信段階；
前記識別子情報要請受信段階の応答として、記憶された識別子情報を前記能動型タグに送信する応答段階；
前記応答段階の後、前記識別子情報が前記能動型タグと一致するかを比較してセッションの形成有無を判断するセッション形成判断段階；
前記セッション形成判断段階で前記識別子情報が互いに一致すればセッションを形成し、リーダーモードに転換して前記能動型タグから送信される機能制御信号を受信するリーダーモード変換段階；
前記能動型タグから受信された機能制御信号を分析して移動通信端末機の選択された機能を制御する命令語を抽出する命令語抽出段階；及び
前記命令語抽出段階で抽出された命令語を実行させて選択された機能を制御する命令語の実行段階を含み、
前記能動型タグの機能制御信号は前記移動通信端末機の選択された一つ以上の機能をロックまたはアンロックする命令語が含まれる機能制御信号であり、
前記機能制御信号に含まれた命令語を抽出して前記機能制御信号に含まれた一つ以上の命令語を実行し、前記移動通信端末機の選択された一つ以上の機能を強制制御する、ＮＦＣ通信方式の移動通信端末機の制御方法。
【請求項７】
前記命令語は前記移動通信端末機の多数の機能のそれぞれをロック及びアンロックする多数の命令語を含んでなり、
前記機能制御信号の多数の命令語の中で選択された一つ以上の命令語によって一つ以上の機能を個別的に同時にロックまたはアンロックする、請求項６に記載のＮＦＣ通信方式の移動通信端末機の制御方法。
【請求項８】
前記命令語は前記移動通信端末機で一つ以上の機能をロックした後、設定時間が経てばアンロックする命令語をさらに含む、請求項７に記載のＮＦＣ通信方式の移動通信端末機の制御方法。
【請求項９】
ＮＦＣ方式のタグとリーダーモード（Ｒｅａｄｅｒ
Ｍｏｄｅ）で近距離無線通信するＮＦＣ通信方式の移動通信端末機において、
前記移動通信端末機は、
前記タグに記録されられているデータをＮＦＣ方式で送受信するＮＦＣアンテナ；
前記タグに記録されられているデータを前記ＮＦＣアンテナを介して受信するＮＦＣコントローラー；
前記タグから読み取るデータを前記ＮＦＣコントローラーから受けて前記データを分析する機能制御部；及び
前記移動通信端末機の選択された一つ以上の機能を実行させる端末制御部を含み、
前記タグのデータは前記移動通信端末機の選択された一つ以上の機能を実行させる命令語を含む機能制御データであり、
前記機能制御部は前記機能制御データに含まれた命令語を抽出して前記端末制御部に印加し、前記機能制御データに含まれた命令語を実行して前記移動通信端末機の機能を強制制御し、
前記命令語は前記移動通信端末機の多数の機能のそれぞれをロック及びアンロックする多数の命令語を含んでなり、
前記機能制御データは前記多数の命令語の中で選択された一つ以上の命令語によって一つ以上の機能を個別的に同時にロックまたはアンロックする、ＮＦＣ通信方式の移動通信端末機。
【請求項１０】
前記ＮＦＣコントローラーは、前記タグに識別子情報を要請して通信可能な対象であるかを確認して前記タグとＮＦＣ通信を開始し、前記タグから読み取る機能制御データを前記機能制御部に印加する、請求項９に記載のＮＦＣ通信方式の移動通信端末機。
【請求項１１】
前記タグは、
識別子情報を記憶する識別情報部；
前記移動通信端末機の機能を制御する一つ以上の命令語が記憶される命令語フォーマット部；及び
前記移動通信端末機とＮＦＣ方式で通信して、前記識別情報部に記憶された識別子情報と、前記命令語フォーマット部に記憶された前記移動通信端末機の機能を制御する命令語とを含む機能制御データを前記移動通信端末機と無線で送受信するタグ通信部を含む、請求項９に記載のＮＦＣ通信方式の移動通信端末機。
【請求項１２】
前記命令語フォーマット部は、
前記移動通信端末機で一つ以上の機能をロックした後、設定時間後にアンロックする命令語を含む、請求項１１に記載のＮＦＣ通信方式の移動通信端末機。
【請求項１３】
識別子情報と移動通信端末機の機能を制御する命令語が記憶されるＮＦＣ方式のタグとＮＦＣ方式で通信するＮＦＣ通信方式の移動通信端末機の制御方法において、
前記タグに記憶されたデータを読み取るリーダーモードに変換するリーダーモード変換段階；
前記リーダーモード変換段階の後、前記タグに識別子情報を要請する識別子情報要請段階；
前記タグに対する識別子情報要請段階後に前記タグから応答を受信する応答受信段階；
前記応答受信段階で受信された識別子情報を確認して前記タグとセッションを形成するかを判断するセッション形成判断段階；
前記セッション形成判断段階で通信可能な識別子情報であることが確認されればセッションを形成して前記タグからデータを受信するデータ受信段階；
前記データ受信段階で移動通信端末機の機能を制御する命令語を含む機能制御データを受信し、前記機能制御データから命令語を読み出す命令語読出段階；
前記命令語読出段階で読み出された命令語を前記移動通信端末機の機能を制御する端末制御部に印加して前記命令語を実行させる命令語の実行段階；及び
前記命令語の実行段階で選択された装置の実行結果をディスプレイに出力する結果出力段階を含み、前記命令語は前記移動通信端末機の多数の機能のそれぞれをロック及びアンロックする命令語を含んでなり、前記機能制御データは前記多数の命令語の中で選択された一つ以上の命令語によって一つ以上の機能を個別的に同時にロックまたはアンロックする、ＮＦＣ通信方式の移動通信端末機の制御方法。
【請求項１４】
前記命令語は、
選択された機能をロックした後、設定時間が経てばアンロックする命令語をさらに含む、請求項１３に記載のＮＦＣ通信方式の移動通信端末機の制御方法。
【発明の詳細な説明】
【技術分野】
【０００１】
本発明はＮＦＣ通信方式の移動通信端末機及び制御方法に係り、より詳しくはＮＦＣ方式の移動通信端末機がＮＦＣタグの位置する特定地域に移動した場合、前記タグとの通信によってベル音、録音、スキャン、着信転換のような通信端末機の機能を強制的に制御するＮＦＣ通信方式の移動通信端末機及び制御方法に関するものである。
【背景技術】
【０００２】
移動通信端末機は、有無線端末期間の通信だけではなく、通信の着信と発信を認知するためのベル音の機能と音声及びデータ信号を無線で送受信する通信機能の外に静止映像と動画を撮影するカメラ、音楽ファイルを再生するＭＰ３、オーディオ信号を記録及び再生する録音、文書をコピーして記録するスキャン、記録された文字情報が読めるようにする電子本、メモ、データ端末などのように多様な機能（ｆｕｎｃｔｉｏｎ、以下、‘機能’という）を含むことが一般的であり、近年には無線インターネット機能を備えたスマートフォン（以下、‘移動端末’に含まれるものにする）にまで発展しており、このような趨勢はずっと進むと予想される。
【０００３】
特に、移動端末の普及が急速に拡散するにつれてほぼすべての人が移動端末を所有するようになり、このような移動端末にＮＦＣ（ＮＦＣ：Ｎｅａｒ
Ｆｉｅｌｄ Ｃｏｍｍｕｎｉｃａｔｉｏｎ）技術を適用して、低電力で近距離で無線によるデータ通信ができるようになった。
【０００４】
このようなＮＦＣ機能を用いてクレジットカードの如く金融決済する方式を非接触式アプリケーション信号と言い、非接触式アプリケーション信号を処理することができる手段をスマートカード手段と言う。近年には移動端末にスマートカード機能を備えることが一般的になった。
【０００５】
このように多様な機能を備えた移動端末を携帯した状態で、会議室、教育場所、図書館などのように静粛を要する場所で通信の着信状態を聴覚的に表示する着信ベル信号が発生するようにして他人に不快感を引き起こすとか該当のプログラムの進行を邪魔する場合がある。
このような制限された場所（領域、ゾーン；ｚｏｎｅ）では移動端末が聴覚的なベル音を出力しないようにする無音またはマナーモードに運用する必要がある。
【０００６】
また、研究所、開発室、工場などのように高費用を投入して新技術を研究、開発、生産する場所（以下、‘保安地域’という）で移動端末のカメラ機能、録音機能、スキャン機能などを用いて重要な秘密情報を許諾なしに撮影、録音及びスキャンして外部に流出するとか通信機能を用いて遠距離で速かに伝送するなどの場合がある。
【０００７】
このような保安地域では、保安維持のために、移動端末のカメラ機能、録音機能、スキャン機能、通信機能、着信ベル機能などの選択された特定の機能が運用されないように自動で制御する必要がある。
【発明の概要】
【発明が解決しようとする課題】
【０００８】
本発明は前記のような従来の問題点を解決するためになされたもので、本発明の目的は、ＮＦＣ方式の移動通信端末機をＮＦＣタグとの通信によって前記タグに記憶された前記移動通信端末機に備えられた装置構成（例えば、カメラ、振動、ベル音、メッセージ出力、着信転換、録音、スキャン）の制御命令語を送信及び実行することで前記移動通信端末機の装置構成を強制に制御することができるＮＦＣ通信方式の移動通信端末機及び制御方法を提供することにある。
【課題を解決するための手段】
【０００９】
本発明の前記のような目的を達成するために、リーダーモードとカードモードのいずれか一方に転換可能なＮＦＣ方式の能動型タグとＮＦＣ通信を行って、前記能動型タグに記憶されたデータを受信するＮＦＣ通信方式の移動通信端末機において、前記能動型タグから送信されるＮＦＣ方式のデータ信号を受信するＮＦＣアンテナ；前記能動型タグとセッションを形成するように制御して、前記能動型タグから送信されるデータ信号を前記ＮＦＣアンテナを介して受信するＮＦＣコントローラー；前記能動型タグから送信されるデータ信号を前記ＮＦＣコントローラーから受けて前記データ信号を分析する機能制御部；及び前記移動通信端末機の選択された一つ以上の機能を実行させる端末制御部を含み、前記能動型タグのデータ信号は前記移動通信端末機の選択された一つ以上の機能をロックまたはアンロックする命令語が含まれる機能制御信号であり、前記機能制御部は前記機能制御信号に含まれた命令語を抽出して前記端末制御部に印加することにより前記機能制御信号に含まれた一つ以上の命令語を実行し、前記移動通信端末機の選択された一つ以上の機能を強制制御することが好ましい。
【００１０】
本発明の第１実施例は、リーダーモードとカードモードのいずれか一方に転換可能なＮＦＣ方式の能動型タグとＮＦＣ通信を行って、前記能動型タグに記憶されたデータを受信するＮＦＣ通信方式の移動通信端末機において、前記能動型タグから送信されるＮＦＣ方式のデータ信号を受信するＮＦＣアンテナ；前記能動型タグとセッションを形成するように制御して、前記能動型タグから送信されるデータ信号を前記ＮＦＣアンテナを介して受信するＮＦＣコントローラー；前記能動型タグから送信されるデータ信号を前記ＮＦＣコントローラーから受けて前記データ信号を分析する機能制御部；及び前記移動通信端末機の選択された一つ以上の機能を実行させる端末制御部を含み、前記能動型タグのデータ信号は前記移動通信端末機の選択された一つ以上の機能をロックまたはアンロックする命令語が含まれる機能制御信号であり、前記機能制御部は前記機能制御信号に含まれた命令語を抽出して前記端末制御部に印加することにより前記機能制御信号に含まれた一つ以上の命令語を実行し、前記移動通信端末機の選択された一つ以上の機能を強制制御することが好ましい。
【００１１】
本発明の第２実施例において、前記ＮＦＣコントローラーは、カードモードで駆動されるうちに前記能動型タグから受信される識別子情報要請信号に応じて、互いに一致すれば、リーダーモードに転換して前記能動型タグとセッションを形成し、前記能動型タグからデータを受信して前記機能制御部に印加する。
【００１２】
本発明の第３実施例において、前記能動型タグは、識別子情報を記憶する識別情報部；前記移動通信端末機の機能を制御する一つ以上の命令語を記憶するメモリ；前記移動通信端末機とＮＦＣ方式でデータを送受信するタグアンテナ；及びリーダーモードで駆動され、前記移動通信端末機に識別子情報を要請し、受信された識別子情報を確認して互いに一致すれば、カードモードに転換して前記移動通信端末機とセッションを形成するように制御し、前記能動型タグアンテナを介して前記メモリに記憶された一つ以上の命令語を含む機能制御信号を送信するように制御するタグコントローラーを含む。
【００１３】
本発明の第４実施例において、前記メモリは、前記移動通信端末機の多数の機能のそれぞれをロック及びアンロックする多数の命令語を含んでなり、前記機能制御部は、前記多数の命令語の中で選択された一つ以上の命令語によって一つ以上の機能を個別的に同時にロックまたはアンロックすることを特徴とする。
【００１４】
本発明の第５実施例において、前記メモリは、前記移動通信端末機で一つ以上の機能をロックした後、設定時間が経てばアンロックする命令語をさらに含むことが好ましい。
【００１５】
本発明の第６実施例は、識別子情報と移動通信端末機の機能を制御する命令語が記憶される能動型タグとＮＦＣ方式で通信して前記命令語を受信して、選択された機能を制御するＮＦＣ通信方式の移動通信端末機の制御方法において、カードモードで駆動され、前記能動型タグから識別子情報要請信号を受信する識別子情報要請受信段階；前記識別子情報要請受信段階の応答として、記憶された識別子情報を前記能動型タグに送信する応答段階；前記応答段階の後、前記識別子情報が前記能動型タグと一致するかを比較してセッションの形成有無を判断するセッション形成判断段階；前記セッション形成判断段階で前記識別子情報が互いに一致すればセッションを形成し、リーダーモードに転換して前記能動型タグから送信される機能制御信号を受信するリーダーモード変換段階；前記能動型タグから受信された機能制御信号を分析して移動通信端末機の選択された機能を制御する命令語を抽出する命令語抽出段階；及び前記命令語抽出段階で抽出された命令語を実行させて選択された機能を制御する命令語の実行段階を含み、前記能動型タグの機能制御信号は前記移動通信端末機の選択された一つ以上の機能をロックまたはアンロックする命令語が含まれる機能制御信号であり、前記機能制御信号に含まれた命令語を抽出して前記機能制御信号に含まれた一つ以上の命令語を実行し、前記移動通信端末機の選択された一つ以上の機能を強制制御することが好ましい。
【００１６】
本発明の第７実施例において、前記命令語は前記移動通信端末機の多数の機能のそれぞれをロック及びアンロックする多数の命令語を含んでなり、前記機能制御信号の多数の命令語の中で選択された一つ以上の命令語によって一つ以上の機能を個別的に同時にロックまたはアンロックすることを特徴とする。
【００１７】
本発明の第８実施例において、前記命令語は前記移動通信端末機で一つ以上の機能をロックした後、設定時間が経てばアンロックする命令語をさらに含むことが好ましい。
【００１８】
本発明の第９実施例は、ＮＦＣ方式のタグとリーダーモード（Ｒｅａｄｅｒ
Ｍｏｄｅ）で近距離無線通信するＮＦＣ通信方式の移動通信端末機において、前記移動通信端末機は、前記タグに記録されられているデータをＮＦＣ方式で送受信するＮＦＣアンテナ；前記タグに記録されられているデータを前記ＮＦＣアンテナを介して受信するＮＦＣコントローラー；前記タグから読み取るデータを前記ＮＦＣコントローラーから受けて前記データを分析する機能制御部；及び前記移動通信端末機の選択された一つ以上の機能を実行させる端末制御部を含み、前記タグのデータは前記移動通信端末機の選択された一つ以上の機能を実行させる命令語を含む機能制御データであり、前記機能制御部は前記機能制御データに含まれた命令語を抽出して前記端末制御部に印加し、前記機能制御データに含まれた命令語を実行して前記移動通信端末機の機能を強制制御し、前記命令語は前記移動通信端末機の多数の機能のそれぞれをロック及びアンロックする多数の命令語を含んでなり、前記機能制御データは前記多数の命令語の中で選択された一つ以上の命令語によって一つ以上の機能を個別的に同時にロックまたはアンロックすることが好ましい。
【００１９】
本発明の第１０実施例において、前記ＮＦＣコントローラーは、前記タグに識別子情報を要請して通信可能な対象であるかを確認して前記タグとＮＦＣ通信を開始し、前記タグから読み取る機能制御データを前記機能制御部に印加することが好ましい。
【００２０】
本発明の第１１実施例において、前記タグは、識別子情報を記憶する識別情報部；前記移動通信端末機の機能を制御する一つ以上の命令語が記憶される命令語フォーマット部；及び前記移動通信端末機とＮＦＣ方式で通信して、前記識別情報部に記憶された識別子情報と、前記命令語フォーマット部に記憶された前記移動通信端末機の機能を制御する命令語とを含む機能制御データを前記移動通信端末機と無線で送受信するタグ通信部を含むことが好ましい。
【００２１】
本発明の第１２実施例において、前記命令語フォーマット部は、前記移動通信端末機で一つ以上の機能をロックした後、設定時間後にアンロックする命令語を含むことを特徴とする。
【００２２】
本発明の第１３実施例は、識別子情報と移動通信端末機の機能を制御する命令語が記憶されるＮＦＣ方式のタグとＮＦＣ方式で通信するＮＦＣ通信方式の移動通信端末機の制御方法において、前記タグに記憶されたデータを読み取るリーダーモードに変換するリーダーモード変換段階；前記リーダーモード変換段階の後、前記タグに識別子情報を要請する識別子情報要請段階；前記タグに対する識別子情報要請段階後に前記タグから応答を受信する応答受信段階；前記応答受信段階で受信された識別子情報を確認して前記タグとセッションを形成するかを判断するセッション形成判断段階；前記セッション形成判断段階で通信可能な識別子情報であることが確認されればセッションを形成して前記タグからデータを受信するデータ受信段階；前記データ受信段階で移動通信端末機の機能を制御する命令語を含む機能制御データを受信し、前記機能制御データから命令語を読み出す命令語読出段階；前記命令語読出段階で読み出された命令語を前記移動通信端末機の機能を制御する端末制御部に印加して前記命令語を実行させる命令語の実行段階；及び前記命令語の実行段階で選択された装置の実行結果をディスプレイに出力する結果出力段階を含み、前記命令語は前記移動通信端末機の多数の機能のそれぞれをロック及びアンロックする命令語を含んでなり、前記機能制御データは前記多数の命令語の中で選択された一つ以上の命令語によって一つ以上の機能を個別的に同時にロックまたはアンロックすることを特徴とする。
本発明の第１４実施例において、前記命令語は、選択された機能をロックした後、設定時間が経てばアンロックする命令語をさらに含むことが好ましい。
【発明の効果】
【００２３】
本発明は、前述したように、ＮＦＣ通信の可能な能動型タグと移動通信端末機で自動でカードモードからリーダーモードに転換可能であって使用者の便宜さをはかることができ、前記移動通信端末機で各場所の特性に合わせてＮＦＣタグとの通信によって前記移動通信端末機の機能を制限するように制御することができるので、映画館、公園、バス、風呂場のように特定の場所で移動通信端末機の作動による周辺人の被害を防止することができ、研究所や公共機関のように機密を要する所で情報流出を防止することができ、使用者が一つ一つ操作する必要なしに自動でモード転換及び機能制御がなされるので使用者の便宜さをはかることができる効果がある。
【００２４】
また、本発明は、前述したように、リーダーモードの移動通信端末機の機能を制御する機能制御命令語をタグに記憶し、通信可能な位置に近付く移動通信端末機の機能を強制制御することができるので、映画館、公園、バス、風呂場のように特定の場所で移動通信端末機の作動による周辺人の被害を防止することができ、使用者が一つ一つ操作する必要がなくて便利な効果がある。
【図面の簡単な説明】
【００２５】
【図１】本発明によるＮＦＣ通信を用いた移動通信端末機及び制御方法の概要を説明するための図である。
【図２】本発明によるＮＦＣ通信を用いた移動通信端末機の第１実施例の構成を示すブロック図である。
【図３】本発明によるＮＦＣ通信を用いた移動通信端末機の第１実施例の能動型タグを示すブロック図である。
【図４】本発明によるＮＦＣ通信を用いた移動通信端末機の制御方法の第１実施例を示す図である。
【図５】本発明によるＮＦＣ通信を用いた移動通信端末機の制御方法の第１実施例のタグ駆動段階を示すフローチャートである。
【図６】本発明によるＮＦＣ通信を用いた移動通信端末機の制御方法の第１実施例の端末機の駆動段階を示すフローチャートである。
【図７】本発明によるＮＦＣ通信方式の移動通信端末機及び制御方法の第２実施例の概要を説明するための図である。
【図８】本発明によるＮＦＣ通信方式の移動通信端末機の第２実施例を示すブロック図である。
【図９】本発明によるＮＦＣ通信方式の移動通信端末機でタグの第２実施例構成を示すブロック図である。
【図１０】本発明によるＮＦＣ通信方式の移動通信端末機でタグの第２実施例構成を示すブロック図である。
【図１１】本発明によるＮＦＣ通信方式の移動通信端末機でタグの第２実施例構成を示すブロック図である。
【図１２】本発明によるＮＦＣ通信方式の移動通信端末機の制御方法の第２実施例を示す図である。
【図１３】本発明によるＮＦＣ通信方式の移動通信端末機の制御方法の第２実施例の端末機駆動段階を示すフローチャートである。
【図１４】本発明によるＮＦＣ通信方式の移動通信端末機の制御方法の第２実施例のタグ駆動段階を示すフローチャートである。
【発明を実施するための形態】
【００２６】
以下、本発明によるＮＦＣ通信を用いた移動通信端末機及びその制御方法の好適な実施例を添付図面に基づいて詳細に説明する。
図１は本発明によるＮＦＣ通信を用いた移動通信端末機及び制御方法の概要を説明するための図である。
【００２７】
図１を参照すれば、本発明によるＮＦＣ通信を用いた移動通信端末機１０の制御装置及び制御方法は、ＮＦＣ方式で通信する能動型タグ２０と移動通信端末機１０間の近距離無線通信（Ｎｅａｒ
Ｆｉｅｌｄ Ｃｏｍｍｕｎｉｃａｔｉｏｎ）によって自動でモードが転換され、転換されたモードでの駆動中に前記移動通信端末機１０で実行される機能を強制的に制御することができるものである。この際、移動通信端末機１０はＮＦＣ通信の可能な携帯用電話機、ノートブック型パソコン、スマートフォン、ＰＤＡ、ＰＤＰ、ネットブック、タブレット型パソコンを含む移動通信端末機１０のいずれか一つである。
【００２８】
前記能動型タグ２０はカードモードとリーダーモードとしての動作が可能な能動型のもので、前記カードモードでは記憶されたデータを前記移動通信端末機１０に送信し、リーダーモードでは前記移動通信端末機１０に記憶されたデータを読み取る。
【００２９】
したがって、前記能動型タグ２０は最初にリーダーモードで動作し、前記ＮＦＣ方式の移動通信端末機１０が近接すれば、識別子情報を確認し、互いに一致する識別子情報を持っていると判断されればカードモードに自動転換される。その後、前記能動型タグ２０は前記移動通信端末機１０に機能を制御する命令語を含む機能制御信号を送信する。この際、前記機能制御信号は前記移動通信端末機１０で選択された機能をオフさせるロック命令語と、選択された機能をオンさせるアンロック命令語と、選択された機能をオフさせ、一定の時間が経てばオンさせるロック及びアンロックの組合せ命令語との中でいずれか一つを含む。
【００３０】
すなわち、例えば、前記能動型タグ２０は、劇場に設置されてリーダーモードでの駆動中に観覧客が持っている移動通信端末機１０が近接すれば、相互間の無線通信でカードモードに転換されてリーダーモードで動作する移動通信端末機１０に命令語を送信する。この際、前記能動型タグ２０は、音響出力装置をオフさせるロック命令語が記憶されていれば、使用者が上映館に入場しながら持っている移動通信端末機１０で前記能動型タグ２０に記憶されたロック命令語を読み取って音響出力装置がオフされる。
【００３１】
または、前記能動型タグ２０が前記ロック及びアンロック組合せ命令語が記憶されたら、前記移動通信端末機１０は使用者が上映館に入場しながら音響出力装置をオフさせ、設定時間が経てば前記ベル音をオンさせる。
【００３２】
前記移動通信端末機１０は、カードモードで前記能動型タグ２０と識別子情報が一致すれば、リーダーモードに自動転換されて前記能動型タグ２０に記憶されたデータを読み取る。前記移動通信端末機１０はその自体が持つ機能を実現する多数の装置を備えている。例えば、前記移動通信端末機１０は、カメラ、スキャナ、音響入出力装置、振動出力装置、ディスプレイ、光出力装置、データ送受信装置のいずれか一つが前記能動型タグ２０から送信される機能制御命令語によって自動で実行される。
【００３３】
前記移動通信端末機１０は、前記のような装置が装着されることにより、有無線端末機間の通信、カメラ、音声録音及び再生、スキャン、ベル音及び振動出力のオン／オフ、着信モード変更（振動、ベル音）、動画の撮影及び再生、無線インターネット接続、文字送受信、音声通話のような多様な機能を遂行しており、以下では‘機能’と総称して説明する。
【００３４】
この際、前記音響出力装置と振動出力装置は、着信音量や受信音量の調節及び消去、振動またはベル音の出力、振動モードからベル音モードへの変更、録音及び再生、キーパッドのタッチによって出力される音響の調節や消去を行う装置のいずれも含む。
【００３５】
また、前記光出力装置は、移動通信端末機１０の機能の中で、発光してランタンのような機能を遂行するかまたはディスプレイとキーパッドの明るさを調節する発光装置のいずれも含む。
【００３６】
前記データ送受信装置は移動通信端末機１０間の無線通信を行う装置で、近接した端末機間の無線通信ができるようにする赤外線通信装置とブルートゥースを一例として挙げることができる。
図２は本発明によるＮＦＣ通信を用いた移動通信端末機１０の制御装置において移動通信端末機１０の構成を示すブロック図である。
【００３７】
図２を参照すれば、本発明によるＮＦＣ通信を用いた移動通信端末機１０は、データを提供するカードモードで前記能動型タグ２０との識別子情報が一致すれば、リーダーモードに自動で転換され、前記能動型タグ２０と一対一でＮＦＣ方式で通信する。このために、前記移動通信端末機１０は、約１０センチメートルの近距離で１３．５６ＭＨｚの周波数帯域のデータ信号を受信するアンテナ１１と、カードモードで自動モードの転換を制御し、前記アンテナ１１を介して前記能動型タグ２０とＮＦＣ方式で無線通信するＮＦＣコントローラー１２と、前記ＮＦＣコントローラー１２から受信された機能制御信号から命令語を読み出して、装着された装置を制御する端末制御部１４に印加する機能制御部１３と、前記移動通信端末機１０の選択された機能を実行及びオフさせる端末制御部１４と、受信された機能制御信号を記録及び記憶するメモリ１５とを含む。
【００３８】
前記アンテナ１１は１０センチメートルの近距離で前記能動型タグ２０から送信される信号を受信して前記ＮＦＣコントローラー１２に印加し、前記ＮＦＣコントローラー１２で印加される送信信号を前記能動型タグ２０に送信する。
【００３９】
前記ＮＦＣコントローラー１２は、前記能動型タグ２０の識別子情報の要請及び確認を行うタグ通信具現モジュール１２１を含む。この際、前記識別子情報（ＡＩＤ）はデータフォーマットによって互いに異なるアプレットを区分するための情報である。また、前記ＮＦＣコントローラー１２は、前記識別子情報が一致する能動型タグ２０とＮＦＣ通信する場合、カードモードからリーダーモードに自動転換されるように制御して、前記タグ通信具現モジュール１２１によって前記能動型タグ２０のデータを受信する。
【００４０】
前記ＮＦＣコントローラー１２は、前記能動型タグ２０に近接した距離に位置すれば、前記タグ通信具現モジュール１２１が駆動され、前記能動型タグ２０に前記識別子情報を要請し、相互間のデータフォーマットが同一であることを確認して前記能動型タグ２０と無線通信を進める。
【００４１】
前記端末制御部１４は、前記移動通信端末機１０で具現される一つ以上の機能をオン／オフ制御する。例えば、前記端末制御部１４は、カメラ、電源部、録音機、再生機、振動出力装置、音響出力装置、ディスプレイ、光出力装置のように移動通信端末機１０に装着された装置のオン／オフを制御する。
前記メモリ１５は、前記機能制御部１３で命令語を読み出すことができるように、前記能動型タグ２０で受信された機能制御信号を一時記憶する。
【００４２】
前記機能制御部１３は、前記メモリ１５に記録される機能制御信号を分析し、選択された一つ以上の機能を制御する命令語を読み出して前記端末制御部１４に印加する。例えば、前記機能制御部１３は、前記命令語がカメラのオフ、振動転換、ディスプレイの明るさ調節、ベル音の出力、録音機のオフ、スピーカーのオフのような機能のいずれか一つを実行させるかを分析して前記端末制御部１４に印加する。そして、前記機能制御部１３は、前記端末制御部１４の実行及びその結果をディスプレイに文字として出力するように制御する。
図３は本発明によるＮＦＣ通信を用いた移動通信端末機１０において能動型タグ２０の構成を示すブロック図である。
【００４３】
図３を参照すれば、本発明によるＮＦＣ通信を用いた移動通信端末機１０において前記能動型タグ２０は、識別子情報を記憶する識別情報部２１と、前記移動通信端末機１０の機能を制御する命令語を記憶するメモリ２３と、前記移動通信端末機１０とＮＦＣ方式で通信して前記識別情報部２１に記憶された識別子情報と、前記メモリ２３に記憶された命令語が含まれた機能制御信号とを前記移動通信端末機１０に送信するように制御するタグコントローラー２２と、前記タグコントローラー２２から印加される信号を送信するタグアンテナ２４とを含む。
【００４４】
このうち、前記メモリ２３は、前記移動通信端末機１０の選択された機能を制御する一つ以上の命令語を記憶する。具体的に、前記命令語は、例えば、“Ａ機能ＯＦＦ”、“Ｂ機能ＯＦＦ”“Ｃ機能ＯＦＦ”のようなロック命令語と、“Ａ機能ＯＮ”、“Ｂ機能ＯＮ”、“Ｃ機能ＯＮ”のようなアンロック命令語と、“Ａ機能ＯＦＦ後に２時間経過すればＢ機能ＯＦＦ”のようなロック後アンロック命令語とが記憶される。
【００４５】
前記タグコントローラー２２は、リーダーモードとカードモードへの転換を制御して前記移動通信端末機１０とＮＦＣ通信するように制御する。この際、前記タグコントローラー２２は、リーダーモードでの駆動の際に前記移動通信端末機１０が近接位置にあれば、前記移動通信端末機１０に識別子情報を要請し、受信された識別子情報を確認して互いに一致すれば、カードモードに転換されて前記移動通信端末機１０とセッションを形成するように制御して、前記タグアンテナ２４を介して前記メモリ２３に記憶された命令語の中で少なくとも一つが含まれた機能制御信号を送信するように制御する。
【００４６】
本発明によるＮＦＣ通信を用いた移動通信端末機１０は、前記のような能動型タグ２０と移動通信端末機１０とを含んでいる。前記のような構成によって達成されるＮＦＣ通信を用いた移動通信端末機１０の制御方法を下記の図４〜図６を参照して詳細に説明する。
【００４７】
図４は本発明によるＮＦＣ通信を用いた移動通信端末機１０の制御方法を示す図、図５は本発明によるＮＦＣ通信を用いた移動通信端末機１０の制御方法の端末機駆動段階を示すフローチャートである。
【００４８】
図４及び図５を参照すれば、本発明によるＮＦＣ通信を用いた移動通信端末機１０の制御方法は、識別子情報と移動通信端末機１０に装着された装置の機能制御命令を記憶して前記移動通信端末機１０に送信するタグ駆動段階（Ｓ１０）と、前記能動型タグ２０とＮＦＣ方式で通信して、前記機能制御命令によって装置の機能を制御する移動通信端末機の駆動段階（Ｓ２０）とを含む。
【００４９】
図５を参照すれば、前記能動型タグ２０の駆動段階は、リーダーモードで駆動されるリーダーモード駆動段階（Ｓ１１）と、前記移動通信端末機１０に識別子情報を要請する識別子情報要請段階（Ｓ１２）と、前記移動通信端末機１０から応答を受信する応答受信段階（Ｓ１３）と、前記応答受信段階（Ｓ１３）で受信された応答を分析して前記識別子情報が互いに一致するかを分析してセッションを形成するかを判断するセッション形成判断段階（Ｓ１４）と、前記移動通信端末機１０とセッションを形成することにすると判断すれば、カードモードに転換するカードモード転換段階（Ｓ１５）と、前記移動通信端末機１０の機能を制御する命令語が含まれた機能制御信号を送信する命令語送信段階（Ｓ１６）とを含む。
【００５０】
前記リーダーモード駆動段階（Ｓ１１）は、前記タグコントローラー２２で前記タグアンテナ２４を介して近接位置で移動通信端末機１０のデータを読み取るリーダーモードで駆動される段階である。
【００５１】
前記識別子情報要請段階（Ｓ１２）は、前記リーダーモード駆動段階（Ｓ１１）でリーダーモードでの駆動中に近接位置にＮＦＣ通信可能な前記移動通信端末機１０が位置すれば、前記タグコントローラー２２で識別子情報を要請する段階である。この際、前記能動型タグ２０は前記タグアンテナ２４を介して識別子情報を要請する。
【００５２】
前記応答受信段階（Ｓ１３）は、前記タグコントローラー２２で前記タグアンテナ２４を介して前記移動通信端末機１０から前記識別子情報を受信する段階である。
【００５３】
前記セッション形成判断段階（Ｓ１４）は、前記タグコントローラー２２で前記タグアンテナ２４から受信された前記移動通信端末機１０の応答に含まれた識別子情報と記憶された自分の識別子情報とを比較し、互いに一致すればセッションを形成し、一致しなければ通信を中断させるように判断する段階である。
【００５４】
前記カードモード転換段階（Ｓ１５）は、前記タグコントローラー２２で前記セッション形成判断段階（Ｓ１４）の判断結果、前記移動通信端末機１０と識別子情報が一致して両方間に通信可能となるようにセッションを形成すれば、記憶されたデータを送信するためにリーダーモードからカードモードに転換される段階である。
【００５５】
前記命令語送信段階（Ｓ１６）は、前記タグコントローラー２２で前記メモリ２３に記憶された一つ以上の命令語のいずれか一つが含まれた機能制御信号を前記タグアンテナ２４を介して前記移動通信端末機に送信する段階である。
図６は本発明によるＮＦＣ通信を用いた移動通信端末機の制御方法の移動通信端末機の駆動段階を示すフローチャートである。
【００５６】
図６を参照すれば、前記移動通信端末機１０の駆動段階（Ｓ２０）は、カードモード駆動段階（Ｓ２１）と、前記能動型タグ２０から識別子情報の要請を受信する識別子情報要請受信段階（Ｓ２２）と、前記識別子情報要請に応えて自分の識別子情報を送信する応答段階（Ｓ２３）と、前記能動型タグ２０とセッションが形成されるかを判断するセッション形成判断段階（Ｓ２４）と、前記能動型タグ２０とセッションが形成されればリーダーモードに変換するリーダーモード変換段階（Ｓ２５）と、前記リーダーモード変換段階（Ｓ２５）の後に前記能動型タグ２０から機能制御信号を受信して命令語を抽出する命令語抽出段階（Ｓ２６）と、前記命令語抽出段階（Ｓ２６）で抽出された命令語を端末制御部１４に印加して実行させる命令語の実行（Ｓ２７）と、前記命令語の実行段階（Ｓ２７）で選択された装置の実行結果をディスプレイに出力する結果出力段階（Ｓ２８）とを含む。
【００５７】
前記カードモード駆動段階（Ｓ２１）は、前記移動通信端末機１０が前記ＮＦＣコントローラー１２の制御によって前記能動型タグ２０からデータの要請があれば、これを提供するカードモードで駆動される段階である。
【００５８】
前記識別子情報要請受信段階（Ｓ２２）は、前記ＮＦＣコントローラー１２で前記アンテナ１１を介して前記能動型タグ２０から識別子情報要請信号を受信する段階である。
前記応答段階（Ｓ２３）は、前記ＮＦＣコントローラー１２で前記アンテナ１１を介して自分の識別子情報を前記能動型タグ２０に送信する段階である。
【００５９】
前記セッション形成判断段階（Ｓ２４）は、前記ＮＦＣコントローラー１２で前記能動型タグ２０において両方の識別子情報を比較し、互いに一致して通信可能なセッションの形成有無を判断する段階である。
【００６０】
前記リーダーモード変換段階（Ｓ２５）は、前記ＮＦＣコントローラー１２で前記セッション形成判断段階（Ｓ２４）の後に前記能動型タグ２０とセッションが形成されれば、前記能動型タグ２０に記憶されたデータを読み取るためにリーダーモードに変換する段階である。
【００６１】
前記命令語抽出段階（Ｓ２６）は、前記ＮＦＣコントローラー１２で前記能動型タグ２０から受信された機能制御信号を前記メモリ１５に一時記憶し、前記機能制御部１３で前記メモリ１５に記憶された機能制御信号を分析し、前記機能制御信号に含まれた命令語を抽出する段階である。この際、前記能動型タグ２０から受信されるデータは移動通信端末機１０で具現されるいずれか一つの機能を制御する命令語が含まれた機能制御信号である。したがって、前記機能制御部１３は、前記ＮＦＣコントローラー１２を介してメモリ１５に記録された前記機能制御信号を分析して該当の命令語を抽出する。この際、前記メモリ１５に記録される機能制御信号は暗号化されている。したがって、前記機能制御部１３は、暗号化されてメモリ１５に記録される機能制御信号を復号化して命令語を抽出する。
【００６２】
前記命令語の実行段階（Ｓ２７）は、前記機能制御部１３で前記メモリ１５に記録された機能制御信号を分析して抽出された命令語を前記端末制御部１４に印加し、前記移動通信端末機１０に選択された機能を実行させる段階である。したがって、前記端末制御部１４は、前記機能制御部１３から印加される前記命令語を実行させる。この際、前記命令語は、“Ａ機能をオフ”させるロック命令語、“Ａ機能をオン”させるアンロック命令語、及び“Ａ機能のオフ後に一定の時間が経てばＡ機能をオン”させるロック及びアンロック命令語のいずれか一つである。
【００６３】
前記結果出力段階（Ｓ２８）は、前記機能制御部１３で前記命令語の実行段階（Ｓ２７）で駆動される機能及びその結果を移動通信端末機１０のディスプレイに出力する段階である。例えば、前記機能制御部１３は、前記命令語の実行段階（Ｓ１７）でカメラを強制制御してオフさせたら、前記ディスプレイに“カメラがオフされました”という文字を出力する。
【００６４】
本発明は、前述したように、能動型タグ２０と移動通信端末機１０が相互間にカードモードからリーダーモードに、かつリーダーモードからカードモードに自動転換されてＮＦＣ通信を遂行する。そして、本発明は、前記能動型タグ２０に前記移動通信端末機１０の選択された機能の少なくとも一つを制御する命令語を記憶して前記移動通信端末機１０で実行されるようにするため、移動通信端末機１０の使用による大衆の不便さと保安や機密を必要とする場所での情報流出を防止することができるので、非常に活用度が高い。また、本発明は、使用者の操作によるモード転換またはその他の設定が必要でなく、全過程が自動で行われるので使用が非常に便利な特徴がある。
【００６５】
このような本発明の特徴は事業者や設計者または販売者によって多様な方法で応用することができ、前記で例として説明する詳細な説明に含まれない内容によって実施可能である。しかし、本発明の主要技術的思想は、ＮＦＣ方式で無線通信する能動型タグ２０と移動通信端末機１０を備え、前記能動型タグ２０で前記移動通信端末機１０の機能を強制制御及び解除することを特徴とし、このような詳細な説明に記載されていないとしても前記のような技術的思想の範囲内に含まれるなら本発明の権利範囲に含まれる。
図７は本発明によるＮＦＣ通信方式の移動通信端末機１００及び制御方法の第２実施例の概要を説明するための図である。
【００６６】
図７を参照すれば、本発明によるＮＦＣ通信を用いた移動通信端末機１００の制御装置及び制御方法の第２実施例は、ＮＦＣ方式で通信するタグ２００と移動通信端末機１００間の強制制御に関するものである。この際、移動通信端末機１００は、携帯用電話機、ノートブック型パソコン、スマートフォン、ＰＤＡ、ＰＤＰ、ネットブック、タブレット型パソコンを含む移動通信端末機１００のいずれか一つである。
【００６７】
前記タグ２００は、特定の地域や場所で移動通信端末機１００の機能を制御することができる命令語が記憶され、識別子情報によって認証されるＮＦＣ方式の移動通信端末機１００に選択された機能の実行を強制する命令語を含む機能制御データを提供する。
【００６８】
すなわち、例えば、前記タグ２００は劇場に設置され、観覧客が持っている移動通信端末機１００のベル音モードを、上映館に入場すれば、前記タグ２００と観覧客が持っている移動通信端末機１００間の近距離無線通信（ＮＦＣ）によって自動で着信されるとき、振動モードに強制変換されるかあるいはカメラをオフさせる。
【００６９】
このために、前記タグ２００は、前記移動通信端末機１００に含まれた装置の機能を制御する命令語が一つ以上記憶される。より好ましくは、前記タグ２００は、強制的にオフさせるロック命令語を送信する第１タグ２００ａと、オフされた機能をオンさせるアンロック命令語を送信する第２タグ２００ｂと、オフ命令の後に一定の時間が経てばオンさせる命令語を送信する第３タグ２００ｃとの中で少なくとも一つを含む。
【００７０】
このように、ロック命令とアンロック命令を送信するそれぞれのタグ２００ａ、２００ｂ、２００ｃは劇場の入口と出口にそれぞれ設置され、劇場に出入する観客の移動通信端末機１００のベル音を強制的にオフさせる。そして、劇場から出る観客は前記移動通信端末機１００の強制制御によってオフされたベル音が自動でオンされることができる。
前記第１〜第３タグ２００ａ、２００ｂ、２００ｃについての詳細な構成及び作用説明は後述する。
【００７１】
前記移動通信端末機１００は、自体の機能を実現する多数の装置を備えている。例えば、前記移動通信端末機１００は、カメラ、スキャナ、音響入出力装置、振動出力装置、ディスプレイ、光出力装置、データ送受信装置のいずれか一つが前記タグ２００から送信される機能制御命令語によってオンまたはオフされる。
【００７２】
前記移動通信端末機１００は、前記のような装置が装着されることにより、有無線端末機間の通信、カメラ、音声録音及び再生、スキャン、ベル音及び振動出力のオン／オフ、着信モード変更（振動、ベル音）、動画の撮影及び再生、無線インターネット接続、文字送受信、音声通話のような多様な機能を遂行し、以下では‘機能’と総称して説明する。
【００７３】
この際、前記音響出力装置と振動出力装置は、着信音量や受信音量の調節及び消去、振動またはベル音の出力と、振動モードからベル音モードへの変更、録音及び再生、キーパッドのタッチによって出力される音響の調節や消去を行う装置のいずれも含む。
【００７４】
また、前記光出力装置は、移動通信端末機１００の機能の中で発光してランタンのような機能を遂行するかあるいはディスプレイとキーパッドの明るさを調節する発光装置のいずれも含む。
【００７５】
前記データ送受信装置は移動通信端末機１００間の無線通信を行う装置で、近接した端末機の間に無線通信ができるようにする赤外線通信装置とブルートゥースを一例として挙げることができる。前述したそれぞれの装置は移動通信端末機１００で実行可能な装置によって具現され、それぞれの装置は前記タグ２００ａ、２００ｂ、２００ｃとのＮＦＣ通信を行うＮＦＣ装置ではない移動通信端末機１００を制御する端末制御部１１４によって制御される。
図８は本発明によるＮＦＣ通信方式の移動通信端末機の第２実施例の構成を示すブロック図である。
【００７６】
図８を参照すれば、本発明によるＮＦＣ通信方式の移動通信端末機１００において、前記移動通信端末機１００は、リーダーモードで駆動されて前記タグ２００と一対一でＮＦＣ方式で通信する。このために、前記移動通信端末機１００は約１０センチメートルの近距離で１１３．５６ＭＨｚの周波数帯域のデータを受信するアンテナ１１１と、前記アンテナ１１１を介して前記タグ２００に記憶されたデータを読み取ってＮＦＣ方式で無線通信するＮＦＣコントローラー１１２と、前記ＮＦＣコントローラー１１２から受信された機能制御データから命令語を分析して抽出する機能制御部１１３と、前記移動通信端末機１００に装着された一つ以上の装置を制御する端末制御部１１４と、受信された機能制御データを記録及び記憶するメモリ１１５とを含む。
【００７７】
前記アンテナ１１１は、１０センチメートルの近距離で前記タグ２００で読み取るデータを受信して前記ＮＦＣコントローラー１１２に印加し、前記ＮＦＣコントローラー１１２から印加される送信信号を前記タグ２００に送信する。
【００７８】
前記ＮＦＣコントローラー１１２は、前記タグ２００の識別子情報の要請及び確認を行うタグ通信具現モジュール１１２ａを含む。この際、前記識別子情報（ＡＩＤ）はデータフォーマットによって互いに異なるアプレットを区分するための情報である。
【００７９】
前記ＮＦＣコントローラー１１２は、前記タグ２００に近接した距離に位置すれば、前記タグ通信具現モジュール１１２ａが駆動され、前記タグ２００に前記識別子情報を要請して相互間のデータフォーマットが同一であることを確認して前記タグ２００と無線通信を進める。
【００８０】
前記端末制御部１１４は、前記移動通信端末機１００に装着される一つ以上の装置、例えば、カメラ、電源部、録音機、再生機、振動出力装置、音響出力装置、ディスプレイ、光出力装置、有無線データ通信、端末期間通話及び文字送受信のような機能をする移動通信端末機１００に装着された装置を制御する。この際、前記端末制御部１１４は、前記機能制御部から印加される命令語を受信し、装着された装置の中で選択された機能をするいずれか一つの装置を強制的にオフ、オン、またはオフの後に一定の時間後にオンのような命令語を実行する。
【００８１】
前記機能制御部１１３は、前記ＮＦＣコントローラー１１２から受信された機能制御データに含まれた命令語を抽出して前記端末制御部１１４に印加する。この際、前記機能制御部は、前記ＮＦＣコントローラー１１２から印加される機能制御データを前記メモリ１１５に記憶し、記憶された機能制御データを分析して命令語を抽出する。そして、前記機能制御部１１３は抽出された命令語を前記端末制御部１１４に印加する。
【００８２】
例えば、前記機能制御部１１３は、前記命令語がカメラのオフ、ベル音モードのオフ、ディスプレイのオフ、振動出力のオフ、録音機のオフ、スピーカーのオフ、カメラのオフのような機能のいずれか一つの命令語であるかを分析して前記端末制御部１１４に印加する。
【００８３】
また、前記機能制御部１１３は、前記端末制御部１１４の命令語の実行及びその結果をディスプレイに文字として出力する命令語を前記端末制御部１１４に印加する。
図９〜図１１は本発明によるＮＦＣ通信方式の移動通信端末機の第２実施例のタグを示すブロック図である。
【００８４】
図９〜図１１を参照すれば、本発明によるＮＦＣ通信を用いた移動通信端末機１００の制御装置において、タグ２００は、前記リーダー（移動通信端末機１００）に装着された装置の機能を制御する命令語を記憶し、前記移動通信端末機１００とセッションを形成した後にデータ要請信号が受信されれば、前記命令語を含む機能制御データを前記移動通信端末機１００に送信する。
【００８５】
このために、前記第１タグ２００ａは、識別子情報を記憶する識別情報部２２１と、前記移動通信端末機１００の機能を制御する命令語が記憶される命令語フォーマット部２２３と、前記移動通信端末機１００とＮＦＣ方式で通信して前記識別情報部２２１に記憶された識別子情報と前記命令語フォーマット部２２３に記憶された前記移動通信端末機１００の機能を制御する命令語とからなる機能制御データを送信するタグ通信部２２２とを含む。
【００８６】
このうち、前記命令語フォーマット部２２３は、前記移動通信端末機１００の機能を制御する命令語を一つ以上記憶する命令記憶モジュール２２３ａと、前記命令記憶モジュール２２３１に記憶された最初実行命令語の解除命令語を記憶する変換命令モジュール２２３ｂとを含む。
【００８７】
本発明による第２実施例のタグ２００は、ロック命令語が含まれた第１タグ２００ａと、アンロック命令語が含まれた第２タグ２００ｂと、ロック後アンロック命令語が含まれた第３タグ２００ｃとの中で一つ以上が選択的に適用されることができる。
【００８８】
例えば、前記第１タグ２００ａの前記命令記憶モジュール２２３ａは、“Ａ機能ＯＦＦ”、“Ｂ機能ＯＦＦ”及び“Ｃ機能ＯＦＦ”のようなロック（Ｌｏｃｋｉｎｇ）命令語を含む。
【００８９】
または、前記第２タグ２００ｂの前記命令記憶モジュール２２３ａは、“Ａ機能ＯＮ”、“Ｂ機能ＯＮ”及び“Ｃ機能ＯＮ”のようなアンロック（Ｕｎｌｏｃｋｉｎｇ）命令語を含む。
【００９０】
または、前記第３タグ２００ｃは、“Ａ機能ＯＦＦ”、“Ｂ機能ＯＦＦ”及び“Ｃ機能ＯＦＦ”の命令語が記憶される命令記憶モジュール２２３ａと、前記命令記憶モジュール２２３ａの命令語を変換させる“Ｅ時間経過後にＡ機能ＯＮ”、“Ｅ時間経過後にＢ機能ＯＮ”及び“Ｅ時間経過後にＣ機能ＯＮ”のような変換命令語を記憶する変換命令モジュール２２３ｂとを含む。
【００９１】
このような第１〜第３タグ２００ａ、２００ｂ、２００ｃは周辺環境や場所の特徴によって選択的に適用されることができ、前記移動通信端末機１００は前記第１〜第３タグ２００ａ、２００ｂ、２００ｃの命令語によって備えられた各機能を強制的にオンまたはオフまたはオフ後に一定の時間が経てばオンさせるように制御する。
【００９２】
本発明によるＮＦＣ通信方式の移動通信端末機１００は前記のようなタグ２００と移動通信端末機１００を含む第２実施例が提供され、前記のような構成によって達成されるＮＦＣ通信方式の移動通信端末機１００の制御方法の第２実施例を以降に図１２〜図１４に基づいて詳細に説明する。
【００９３】
図１２は本発明によるＮＦＣ通信を用いた移動通信端末機１００の制御方法の第２実施例を示す図、図１３は本発明によるＮＦＣ通信を用いた移動通信端末機１００の制御方法の第２実施例の端末機駆動段階を示すフローチャートである。
【００９４】
図１２及び図１３を参照すれば、本発明によるＮＦＣ通信を用いた移動通信端末機１００の制御方法の第２実施例は、前記タグ２００とＮＦＣ方式で通信して前記機能制御命令によって装置の機能を制御する移動通信端末機１００の駆動段階（Ｓ１００）と、識別子情報と移動通信端末機１００に装着された装置の機能制御命令を記憶して前記移動通信端末機１００に送信するタグ駆動段階（Ｓ２００）とを含む。
【００９５】
このうち、前記移動通信端末機１００の駆動段階（Ｓ１００）は、前記タグ２００に記憶されたデータを読み取るリーダーモードに変換するリーダーモード変換段階（Ｓ１１１）と、前記リーダーモード変換段階（Ｓ１１１）の後、前記タグ２００に識別子情報を要請する識別子情報要請段階（Ｓ１１２）と、前記識別子情報要請段階（Ｓ１１２）の後に前記タグ２００から応答を受信する応答受信段階（Ｓ１１３）と、前記応答受信段階（Ｓ１１３）で受信された識別子情報を確認して前記タグ２００とセッションを形成するかを判断するセッション形成判断段階（Ｓ１１４）と、前記セッション形成判断段階（Ｓ１１４）で通信可能な識別子情報であることが確認されればセッションを形成して前記タグ２００からデータを受信するデータ受信段階（Ｓ１１５）と、前記データ受信段階（Ｓ１１５）の後、制御命令が含まれる機能制御データを受信し、前記機能制御データから命令語を読み出す命令語読出段階（Ｓ１１６）と、前記命令語読出段階（Ｓ１１６）で読み出された命令語を実行して選択された機能をする装置を制御する命令語の実行段階（Ｓ１１７）と、前記命令語の実行段階（Ｓ１１７）で選択された装置の実行結果をディスプレイに出力する結果出力段階（Ｓ１１８）とを含む。
【００９６】
前記リーダーモード変換段階（Ｓ１１１）は前記タグ２００に記憶されたデータを読み取るためにリーダーモードに変換する段階である。この際、使用者がキーパッドによってリーダーモードを選択すれば、前記選択信号が前記端末制御部１１４を介して機能制御部１１３に印加される。したがって、前記機能制御部１１３は前記ＮＦＣコントローラー１１２を制御してリーダーモードで駆動されるようにする。
【００９７】
前記識別子情報要請段階（Ｓ１１２）は、前記リーダーモード変換段階（Ｓ１１１）で前記機能制御部１１３の制御によってリーダーモードに変換されたＮＦＣコントローラー１１２が前記アンテナ１１１を介して近接したタグ２００に識別子情報を読み取る段階である。この際、前記ＮＦＣコントローラー１１２は、前記タグ通信具現モジュール（１１２２１）を介して前記識別子情報を要請する。
【００９８】
前記応答受信段階（Ｓ１１３）は前記ＮＦＣコントローラー１１２で前記タグ２００から識別子情報要請による応答を受信する段階である。前記ＮＦＣコントローラー１１２は、前記タグ２００から識別子情報を受信して設定の識別子情報と一致するかを確認する。
【００９９】
前記セッション形成判断段階（Ｓ１１４）は前記ＮＦＣコントローラー１１２で前記応答受信段階によって受信された識別子情報を確認して前記タグ２００と無線通信可否を判断する段階である。
【０１００】
前記データ受信段階（Ｓ１１５）は前記ＮＦＣコントローラー１１２で前記タグ２００からデータを読み取る段階である。この際、前記タグ２００から読み取るデータは移動通信端末機１００で具現されるいずれか一つの機能を制御する命令語を含む機能制御データである。前記機能制御部１１３は前記ＮＦＣコントローラー１１２によって印加される前記機能制御データを前記メモリ１１５に記録する。
【０１０１】
前記命令語読出段階（Ｓ１１６）は、前記機能制御部１１３で前記メモリ１１５に記録された機能制御データを分析し、命令語を分析して読み出す段階である。この際、前記メモリ１１５に記録される機能制御データは暗号化されている。したがって、前記機能制御部１１３は、暗号化されてメモリ１１５に記録される機能制御データを復号化して命令語を読み出す。この際、前記機能制御部１１３は前記タグ２００がロック、アンロックまたはロック後アンロックの命令語が含まれているかを分析する。
【０１０２】
前記命令語の実行段階（Ｓ１１７）は、前記機能制御部１１３で読み出された命令語を前記端末制御部１１４に印加して選択された機能を強制制御する段階である。この際、前記端末制御部１１４は前記機能制御部１１３から印加される命令語によって選択された装置を駆動させる。例えば、着信の際に振動モードへの転換、カメラのオフ、録音機のオフなどの機能の中で選択された機能を具現する装置を強制的に制御する。
【０１０３】
この際、前記端末制御部１１４は、前記第１タグ２００ａから送信されるロック命令語または前記第２タグ２００ｂから送信されたアンロック命令語であるかを確認して選択された機能をオフまたはオンさせる。また、前記端末制御部１１４は、前記第３タグ２００ｃの命令記憶モジュール２２３ａと変換命令モジュール２２３ｂに記憶された命令語が組合せられたたロック後アンロックに変換する命令語であれば、選択された機能をオフさせた後に設定時間が経てば選択された機能をさらにオンさせるように制御する。
【０１０４】
前記結果出力段階（Ｓ１１８）は、前記機能制御部１１３で前記命令語の実行段階（Ｓ１１７）で駆動される機能とその結果を移動通信端末機１００のディスプレイに出力する出力命令を印加する段階である。例えば、前記機能制御部１１３は、前記命令語の実行段階（Ｓ１１７）でカメラを強制制御してオフさせたら、前記ディスプレイに“カメラがオフされました”という文字を出力する結果出力命令を前記端末制御部１１４に印加する。
【０１０５】
したがって、前記端末制御部１１４は、前記機能制御部１１３の結果出力命令によって前記文字入力装置によって前記の文章を作成するようにして前記ディスプレイに出力する。
【０１０６】
より好ましくは、後述する変換命令語によって前記命令語の実行段階（Ｓ１１７）で実行された命令語が変換されるように設定されれば、例えば使用者が劇場の上映館に入場し、前記命令語の実行段階（Ｓ１１７）で着信時にベル音モードから振動モードに変更されたら、“ベル音がオフされましたし、２時間後にオンされます。”というメッセージを出力することができる。
【０１０７】
また、本発明は、前記のような移動通信端末機１００の駆動段階とともに前記タグ２００の駆動段階を含む。前記タグ２００の駆動段階は図１４を参照して詳細に説明する。
図１４は本発明によるＮＦＣ通信を用いた移動通信端末機１００の制御方法の第２実施例によるタグ駆動段階を示すフローチャートである。
【０１０８】
図１４を参照すれば、前記タグ２００の駆動段階（Ｓ２００）は、待機段階（Ｓ２２１）と、前記移動通信端末機１００から識別子情報の要請信号が印加されるかを判断する識別子情報要請判断段階（Ｓ２２２）と、前記識別子情報要請判断段階（Ｓ２２２）で識別子情報の要請が受信されれば、識別子情報を送信する応答段階（Ｓ２２３）と、前記応答段階（Ｓ２２３）の後に前記移動通信端末機１００とセッションを形成するセッション形成段階（Ｓ２２４）と、前記セッション形成段階（Ｓ２２４）の後に機能を制御する命令語を含む機能制御データを送信する命令語送信段階（Ｓ２２５）とを含む。
【０１０９】
前記識別子情報要請判断段階（Ｓ２２２）は前記移動通信端末機１００から識別子情報要請信号が受信されるかを判断する段階である。この際、前記タグ２００は、前記タグ通信部２２２から前記アンテナ１１１を介して送信される識別子情報要請信号を受信する。
【０１１０】
前記応答段階（Ｓ２２３）は前記タグ通信部２２２で前記識別情報部２２１に記憶された識別子情報を読み出して前記移動通信端末機１００に送信する段階である。
【０１１１】
前記セッション形成段階（Ｓ２２４）は前記応答段階（Ｓ２２３）で前記移動通信端末機１００での識別子情報の確認結果、互いに一致することが確認され、両方間にセッションが形成されるかを判断する段階である。
【０１１２】
前記命令語送信段階（Ｓ２２５）は、前記セッション形成段階（Ｓ２２４）の後、前記命令語フォーマット部２２３に記憶された機能制御データを送信する。前記機能制御データは前記移動通信端末機１００に組み込まれた機能を制御するロック、アンロック及びロックとアンロックの組合せ命令語の中で少なくとも一つを含む。
【０１１３】
すなわち、前記第１タグ２００ａは前記移動通信端末機１００の機能をオフさせるロック命令語を送信し、前記第２タグ２００ｂは前記移動通信端末機１００のオフされた機能をオンさせるアンロック命令語を送信し、前記第３タグ２００ｃはオフさせた後に一定の時間が経てばオンさせるロックとアンロックが組合せられた命令語をそれぞれ送信する。
【０１１４】
本発明の第２実施例は、前述したようにタグ２００から移動通信端末機１００の装置を強制制御する命令語を記憶して場所別特性に合うように前記移動通信端末機１００の機能を強制制御及び解除するから、移動通信端末機１００の使用による大衆の不便さまたは保安や機密を必要とする場所での情報流出を防止することができるので、非常に活用度が高い。
【産業上の利用可能性】
【０１１５】
本発明の特徴は事業者や設計者または販売者によって多様な方法で応用可能であり、以上で例として説明する詳細な説明に含まれない内容によって実施可能である。しかし、本発明の主要技術的思想はＮＦＣ方式で無線通信するタグ２００と移動通信端末機１００とを備え、前記タグ２００で前記移動通信端末機１００の機能を強制的に制御及び解除するようにするものであり、このような詳細な説明で記載されなかったとしても前記のような技術的思想の範囲内に属するものであれば本発明の権利範囲に含まれる。
【符号の説明】
【０１１６】
１０    移動通信端末機
１１    アンテナ
１２    ＮＦＣコントローラー
１３    機能制御部
１４    装置部
１５    メモリ
２０    能動型タグ
２１    識別情報部
２２    タグコントローラー
２３    メモリ
２４    タグアンテナ
１００    移動通信端末機
１１１    アンテナ
１１２    ＮＦＣコントローラー
１１２ａ    タグ通信具現モジュール
１１３    機能制御部
１１４    端末制御部
１１５    メモリ
２００    タグ
２２１    識別情報部
２１２    タグ通信部
２２３    命令語フォーマット部
２２３ａ    命令記憶モジュール
２２３ｂ    変換命令モジュール
【図１】
2014519786.tif 000003
【図２】
2014519786.tif 000004
【図３】
2014519786.tif 000005
【図４】
2014519786.tif 000006
【図５】
2014519786.tif 000007
【図６】
2014519786.tif 000008
【図７】
2014519786.tif 000009
【図８】
2014519786.tif 000010
【図９】
2014519786.tif 000011
【図１０】
2014519786.tif 000012
【図１１】
2014519786.tif 000013
【図１２】
2014519786.tif 000014
【図１３】
2014519786.tif 000015
【図１４】
2014519786.tif 000016
【国際調査報告】
2014519786.tif 000017
2014519786.tif 000018
2014519786.tif 000019
2014519786.tif 000020